(57)【要約】【課題】撮像装置の省電力化を維持しつつ、リモート制御の同期ずれを低減するための技術を提供する。【解決手段】通信装置と無線通信可能な撮像装置であって、第１の状態よりも消費電力が少ない第２の状態で動作中に、前記通信装置から撮像準備要求を無線通信により受信した場合、前記撮像装置を前記第２の状態から前記第１の状態に遷移させる制御手段と、前記通信装置から撮像要求を無線通信により受信したことに応じて撮像処理を行う撮像手段とを備え、前記制御手段は、前記撮像処理の完了に応じて、前記撮像装置を前記第１の状態から前記第２の状態に遷移させる。【選択図】  図４
2020010302.tif 000002
【特許請求の範囲】
【請求項１】
通信装置と無線通信可能な撮像装置であって、
第１の状態よりも消費電力が少ない第２の状態で動作中に、前記通信装置から撮像準備要求を無線通信により受信した場合、前記撮像装置を前記第２の状態から前記第１の状態に遷移させる制御手段と、
前記通信装置から撮像要求を無線通信により受信したことに応じて撮像処理を行う撮像手段と、を備え、
前記制御手段は、前記撮像処理の完了に応じて、前記撮像装置を前記第１の状態から前記第２の状態に遷移させることを特徴とする撮像装置。
【請求項２】
前記第２の状態は、ＩＥＥＥ８０２．１１規格に従ったパワーセーブモードで動作する状態であることを特徴とする請求項１に記載の撮像装置。
【請求項３】
前記制御手段は、前記パワーセーブモードの機能を無効にすることにより、前記撮像装置を前記第１の状態に遷移させることを特徴とする請求項２に記載の撮像装置。
【請求項４】
前記制御手段は、前記通信装置へ所定間隔でデータを送信することにより、前記撮像装置を前記第１の状態に遷移させることを特徴とする請求項１又は２に記載の撮像装置。
【請求項５】
前記制御手段は、前記パワーセーブモードの機能を有効にすることにより、前記撮像装置を前記第２の状態に遷移させることを特徴とする請求項２に記載の撮像装置。
【請求項６】
前記制御手段は、前記撮像処理の完了に応じて前記通信装置への前記所定間隔でのデータの送信を停止することにより、前記撮像装置を前記第２の状態に遷移させることを特徴とする請求項４に記載の撮像装置。
【請求項７】
前記撮像準備要求及び前記撮像要求は、ＨＴＴＰ（Ｈｙｐｅｒｔｅｘｔ Ｔｒａｎｓｆｅｒ Ｐｒｏｔｏｃｏｌ）で受信されることを特徴とする請求項１乃至６の何れか１項に記載の撮像装置。
【請求項８】
通信装置と無線通信可能な撮像装置の制御方法であって、
第１の状態よりも消費電力が少ない第２の状態で動作中に、前記通信装置から撮像準備要求を無線通信により受信した場合、前記撮像装置を前記第２の状態から前記第１の状態に遷移させる制御工程と、
前記通信装置から撮像要求を無線通信により受信したことに応じて撮像処理を行う撮像工程と、を有し、
前記制御工程では、前記撮像処理の完了に応じて、前記撮像装置を前記第１の状態から前記第２の状態に遷移させることを特徴とする撮像装置の制御方法。
【請求項９】
コンピュータを、請求項１乃至７の何れか１項に記載の撮像装置の各手段として機能させるためのプログラム。
【発明の詳細な説明】
【技術分野】
【０００１】
本発明は、撮像装置、撮像装置の制御方法及びプログラムに関する。
【背景技術】
【０００２】
近年、デジタルカメラとスマートデバイスとを無線通信により接続し、Ｈｙｐｅｒｔｅｘｔ Ｔｒａｎｓｆｅｒ Ｐｒｏｔｏｃｏｌ（以下、ＨＴＴＰと記載）を用いてスマートデバイスでデジタルカメラをリモートコントロールすることが行われている。また、ＩＥＥＥ８０２．１１規格シリーズに準拠した無線ＬＡＮに代表される無線通信では、通信装置の消費電力を抑えるために省電力モード（パワーセーブモード）が定義されている。
【０００３】
特許文献１では、レリーズスイッチによる撮像準備動作の指示があった場合にカメラの付属装置であるストロボのスリープ周期を短く変更し、レリーズスイッチによる撮像の指示があった場合にストロボのスリープ周期を更に短く変更することが開示されている。
【先行技術文献】
【特許文献】
【０００４】
【特許文献１】特許第５４３０３１１号公報
【発明の概要】
【発明が解決しようとする課題】
【０００５】
しかしながら、従来技術では、デジタルカメラの省電力モードが有効な場合、無線ＬＡＮのダウンリンク方向でスマートデバイスからデジタルカメラに指示を出す際に生じるリモート制御要求の遅延について考慮されていない。そのため、例えばスマートデバイスにデジタルカメラのファインダ映像を表示しながらリモート撮像する場合に、ファインダ映像とリモート制御要求とが同期しない可能性がある。
【０００６】
本発明は、上記の課題に鑑みてなされたものであり、撮像装置の省電力化を維持しつつ、リモート制御の同期ずれを低減するための技術を提供することを目的とする。
【課題を解決するための手段】
【０００７】
上記の目的を達成する本発明に係る撮像装置は、
通信装置と無線通信可能な撮像装置であって、
第１の状態よりも消費電力が少ない第２の状態で動作中に、前記通信装置から撮像準備要求を無線通信により受信した場合、前記撮像装置を前記第２の状態から前記第１の状態に遷移させる制御手段と、
前記通信装置から撮像要求を無線通信により受信したことに応じて撮像処理を行う撮像手段と、を備え、
前記制御手段は、前記撮像処理の完了に応じて、前記撮像装置を前記第１の状態から前記第２の状態に遷移させることを特徴とする。
【発明の効果】
【０００８】
本発明によれば、撮像装置の省電力化を維持しつつ、リモート制御の同期ずれを低減することができる。
【図面の簡単な説明】
【０００９】
【図１】本発明の一実施形態に係る撮像装置（デジタルカメラ）の構成例を示すブロック図。
【図２】本発明の一実施形態に係る通信装置（スマートデバイス）の構成例を示すブロック図。
【図３】本発明の一実施形態に係る撮像システムの構成例を示す図。
【図４】実施形態１に係る処理の流れを示すシーケンス図。
【図５】実施形態１に係る撮像装置（デジタルカメラ）が実施する処理の手順を示すフローチャート。
【図６】実施形態２に係る処理の流れを示すシーケンス図。
【図７】実施形態２に係る撮像装置（デジタルカメラ）が実施する処理の手順を示すフローチャート。
【発明を実施するための形態】
【００１０】
以下、図面を参照しながら実施形態を説明する。なお、以下の実施形態において示す構成は一例に過ぎず、本発明は図示された構成に限定されるものではない。
【００１１】
［実施形態１］
実施形態１では、通信装置からの撮像準備要求の受信に応じて撮像装置を省電力状態から解除すると共に、通信装置からの撮像要求の受信により撮像処理が行われた後に、撮像装置を省電力状態に遷移させる例を説明する。すなわち、第１の状態よりも消費電力が少ない第２の状態で動作中に、通信装置から撮像準備要求を無線通信により受信した場合、撮像装置を第２の状態から第１の状態に遷移させる。そして、通信装置から撮像要求を無線通信により受信したことに応じて撮像処理を行い、撮像処理の完了に応じて、撮像装置を前記第１の状態から前記第２の状態に遷移させる。
【００１２】
＜デジタルカメラの構成＞
図１（ａ）は、本実施形態の撮像装置の一例であるデジタルカメラ１００の構成例を示すブロック図である。
【００１３】
なお、ここでは撮像装置の一例としてデジタルカメラについて述べるが、撮像装置はこれに限られない。例えば、撮像装置は携帯型のメディアプレーヤや、いわゆるタブレットデバイス、パーソナルコンピュータなどの情報処理装置であってもよい。
【００１４】
デジタルカメラ１００は、制御部１０１、撮像部１０２、不揮発性メモリ１０３、作業用メモリ、操作部１０５、表示部１０６、記録媒体１１０、無線通信部１１１、及びＨＴＴＰ通信部１１２を備えて、外部装置と無線通信可能に構成されている。
【００１５】
制御部１０１は、一つ又は複数のＣＰＵによって構成され、ＣＰＵがプログラムを読み出して実行することによりデジタルカメラ１００の各処理部を制御し、後述するフローチャートの各処理を実現する。なお、制御部１０１が装置全体を制御する代わりに、複数のハードウェアが処理を分担することで、装置全体を制御してもよい。
【００１６】
撮像部１０２は、例えば、光学レンズユニット、絞り・ズーム・フォーカスなどを制御する光学系、光学レンズユニットを介して取得された光（映像）を電気的な映像信号に変換するための撮像素子などで構成される。撮像素子としては、一般的には、ＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）や、ＣＣＤ（Ｃｈａｒｇｅ Ｃｏｕｐｌｅｄ Ｄｅｖｉｃｅ）が利用される。撮像部１０２は、制御部１０１により制御されることによって、撮像部１０２に含まれるレンズで結像された被写体光を、撮像素子により電気信号に変換し、ノイズ低減処理などを行い、デジタルデータを画像データとして出力する。本実施形態のデジタルカメラ１００では、画像データは、ＤＣＦ（Ｄｅｓｉｇｎ Ｒｕｌｅ ｆｏｒ Ｃａｍｅｒａ Ｆｉｌｅ ｓｙｓｔｅｍ）の規格に従って記録媒体１１０に記録される。
【００１７】
不揮発性メモリ１０３は、電気的に消去・記録可能な不揮発性のメモリであり、制御部１０１で実行される後述のプログラム等が格納される。
【００１８】
作業用メモリ１０４は、撮像部１０２で撮像された画像データを一時的に保持するバッファメモリや、表示部１０６の画像表示用メモリ、制御部１０１の作業領域等として使用される。
【００１９】
操作部１０５は、デジタルカメラ１００に対する指示をユーザから受け付けるために用いられる。操作部１０５は、例えば、ユーザがデジタルカメラ１００の電源のＯＮ／ＯＦＦを指示するための電源ボタン、撮像を指示するためのレリーズスイッチ、画像データの再生を指示するための再生ボタンを含む。さらに、後述の無線通信部１１１を介して外部装置との通信を開始するための専用の接続ボタンなどの操作部材を含む。また、後述する表示部１０６に形成されるタッチパネルも操作部１０５に含まれる。なお、レリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮像準備を行うための指示を受け付ける。また、レリーズスイッチが、いわゆる全押し状態となることにより、ＳＷ２がＯＮとなる。これにより、撮像を行うための指示を受け付ける。
【００２０】
表示部１０６は、撮像の際のビューファインダ画像の表示、撮像した画像データの表示、対話的な操作のための文字表示などを行う。なお、表示部１０６は必ずしもデジタルカメラ１００備えている必要はない。デジタルカメラ１００は、内部または外部の表示部１０６と接続することができ、表示部１０６の表示を制御する表示制御機能を少なくとも有していればよい。
【００２１】
記録媒体１１０は、撮像部１０２から出力された画像データを記録することができる。記録媒体１１０は、デジタルカメラ１００に着脱可能なよう構成してもよいし、デジタルカメラ１００に内蔵されていてもよい。すなわち、デジタルカメラ１００は少なくとも記録媒体１１０にアクセスすることができるように構成されていればよい。
【００２２】
無線通信部１１１は、外部装置と接続するためのインターフェースである。本実施形態のデジタルカメラ１００は、無線通信部１１１を介して、外部装置とデータのやりとりを行うことができる。例えば、撮像部１０２で生成した画像データを、無線通信部１１１を介して外部装置に送信することができる。なお、本実施形態では、無線通信部１１１は、ＩＥＥＥ８０２．１１の規格に従った、いわゆる無線ＬＡＮで外部装置と通信するためのインターフェースを含む。制御部１０１は、無線通信部１１１を制御することにより外部装置との無線通信を実現する。なお、通信方式は無線ＬＡＮ方式に限定されるものではなく、例えばＢｌｕｅｔｏｏｔｈ（登録商標）や赤外線通信等のその他の通信方式であってもよい。
【００２３】
ＨＴＴＰ通信部１１２は、ＨＴＴＰ通信の制御を行う。また、ＨＴＴＰ1またはＨＴＴＰ２の少なくとも何れか一方のバージョンのプロトコルに対応している。
【００２４】
次に、デジタルカメラ１００の外観について説明する。図１（ｂ）、図１（ｃ）はデジタルカメラ１００の外観の一例を示す図である。レリーズスイッチ１０５ａ、再生ボタン１０５ｂ、方向キー１０５ｃ、タッチパネル１０５ｄ、電源スイッチ１０５ｅは、前述の操作部１０５に含まれる操作部材である。また、表示部１０６には、撮像部１０２による撮像により得られた画像が表示される。
【００２５】
以上がデジタルカメラ１００の構成である。
【００２６】
＜スマートデバイス２００の内部構成＞
続いて、図２は、本実施形態に係る通信装置の一例であるスマートデバイス２００の構成例を示すブロック図である。なお、ここでは通信装置の一例としてスマートデバイスについて述べるが、通信装置はこれに限られない。例えば通信装置は、無線機能付きのカメラ、タブレットデバイス、あるいはパーソナルコンピュータなどであってもよい。
【００２７】
スマートデバイス２００は、制御部２０１、撮像部２０２、不揮発性メモリ２０３、作業用メモリ２０４、操作部２０５、表示部２０６を備えている。また、記録媒体２１０、通信部２１１、近距離無線通信部２１２、公衆網通信部２１３、スピーカ２１４、及びマイク２１５を備えている。
【００２８】
制御部２０１は、一つ又は複数のＣＰＵによって構成され、ＣＰＵがプログラムを読み出して実行することによりスマートデバイス２００の各処理部を制御する。なお、制御部２０１が装置全体を制御する代わりに、複数のハードウェアが処理を分担することで、装置全体を制御してもよい。
【００２９】
撮像部２０２は、撮像部２０２に含まれるレンズで結像された被写体光を電気信号に変換し、ノイズ低減処理などを行い、デジタルデータを画像データとして出力する。撮像した画像データはバッファメモリに蓄えられた後、制御部２０１により所定の演算が行われ、記録媒体２１０に記録される。
【００３０】
不揮発性メモリ２０３は、電気的に消去・記録可能な不揮発性のメモリである。不揮発性メモリ２０３には、制御部２０１が実行する基本的なソフトウェアであるＯＳ（オペレーティングシステム）や、ＯＳと協働して応用的な機能を実現するアプリケーションが記録されている。また、本実施形態では、不揮発性メモリ２０３には、デジタルカメラ１００と通信するためのアプリケーションが格納されている。
【００３１】
作業用メモリ２０４は、表示部２０６の画像表示用メモリや、制御部２０１の作業領域等として使用される。
【００３２】
操作部２０５は、スマートデバイス２００に対する指示をユーザから受け付けるために用いられる。操作部２０５は、例えば、ユーザがスマートデバイス２００の電源のＯＮ／ＯＦＦを指示するための電源ボタンや、表示部２０６に形成されるタッチパネルなどの操作部材を含む。
【００３３】
表示部２０６は、画像データの表示、対話的な操作のための文字表示などを行う。なお、表示部２０６は、必ずしもスマートデバイス２００が備えている必要はない。スマートデバイス２００は、表示部２０６と接続することができ、表示部２０６の表示を制御する表示制御機能を少なくとも有していればよい。
【００３４】
記録媒体２１０は、撮像部２０２から出力された画像データを記録することができる。記録媒体２１０は、スマートデバイス２００に着脱可能なよう構成してもよいし、スマートデバイス２００に内蔵されていてもよい。すなわち、スマートデバイス２００は少なくとも記録媒体２１０にアクセスすることができるように構成されていればよい。
【００３５】
通信部２１１は、外部装置と接続するためのインターフェースである。本実施形態のスマートデバイス２００は、通信部２１１を介して、デジタルカメラ１００とデータのやりとりを行うことができる。本実施形態では、通信部２１１はアンテナであり、制御部２０１は、アンテナを介して、デジタルカメラ１００と接続することができる。なお、デジタルカメラ１００との接続では、直接接続してもよいし外部のアクセスポイント（ＡＰ）を介して接続してもよい。直接接続する場合には、Ｗｉ−Ｆｉ  Ｄｉｒｅｃｔ規格に従って接続したり、スマートデバイスとデジタルカメラの一方がＡＰとして動作することによって直接接続したりする。データを通信するためのプロトコルとしては、例えば無線ＬＡＮを通じたＨＴＴＰ通信や、ＰＴＰ／ＩＰ（Ｐｉｃｔｕｒｅ Ｔｒａｎｓｆｅｒ Ｐｒｏｔｏｃｏｌ ｏｖｅｒ Ｉｎｔｅｒｎｅｔ Ｐｒｏｔｏｃｏｌ）を用いることができる。また、通信部２１１は、ＩＥＥＥ８０２．３規格の有線ＬＡＮ通信も実行可能である。
【００３６】
近距離無線通信部２１２は、例えば無線通信のためのアンテナと無線信号を処理するため変復調回路及び通信コントローラとから構成される。近距離無線通信部２１２は、変調した無線信号をアンテナから出力し、またアンテナで受信した無線信号を復調することによりＩＥＥＥ８０２．１５の規格（いわゆるＢｌｕｅｔｏｏｔｈ（登録商標））に従った近距離無線通信を実現する。本実施形態においてＢｌｕｅｔｏｏｔｈ（登録商標）通信は、低消費電力であるＢＬＥ（Ｂｌｕｅｔｏｏｔｈ Ｌｏｗ Ｅｎｅｒｇｙ）を採用する。
【００３７】
公衆網通信部２１３は、公衆無線通信を行う際に用いられるインターフェースである。スマートデバイス２００は、公衆網通信部２１３を介して、他の機器と通話することができる。この際、制御部２０１はマイク２１４およびスピーカ２１５を介して音声信号の入力と出力を行うことで、通話を実現する。本実施形態では、公衆網通信部２１３はアンテナであり、制御部２０１は、アンテナを介して、公衆網に接続することができる。なお、通信部２１１および公衆網通信部２１３は、一つのアンテナで兼用することも可能である。
【００３８】
本実施形態では、スマートデバイス２００はいわゆるスマートフォンであり、Ｏｐｅｒａｔｉｏｎ Ｓｙｓｔｅｍ（ＯＳ）がインストールされている。さらに、このＯＳが、スマートデバイス２００にインストールされたアプリケーションを実行する。本実施形態でのアプリケーションは、Ｂｌｕｅｔｏｏｔｈを用いてデジタルカメラ１００の撮像や撮像画像の閲覧／保存といったリモート制御を行うカメラ制御アプリケーションを想定している。以上がスマートデバイス２００の構成である。
【００３９】
＜システム構成＞
図３は、本実施形態に係る、スマートデバイス２００とデジタルカメラ１００とを有する撮像システムの構成例を示す図である。無線ＬＡＮネットワーク３００はアクセスポイント５０によって構築され、スマートデバイス２００とデジタルカメラ１００とがアクセスポイント５０を介して無線ＬＡＮ接続しており、ＨＴＴＰ通信を実施可能である。なお、本実施形態ではスマートデバイス２００とアクセスポイント５０とは無線ＬＡＮ接続しているが、有線ＬＡＮの接続でも構わない。
【００４０】
＜処理シーケンス＞
続いて、図４を参照しながら、スマートデバイス２００を用いてデジタルカメラ１００でリモート撮像を行うまでのシーケンスを説明する。
【００４１】
まず、ユーザがスマートデバイス２００で操作部２０５を用いて操作し、カメラ制御アプリケーションを起動する（Ｆ４０１）。デジタルカメラ１００は無線通信部１１１を用いて無線ＬＡＮパワーセーブを有効にすることにより無線ＬＡＮパワーセーブ状態に遷移する（Ｆ４０２）。なお、本実施形態ではＩＥＥＥ８０２．１１の規格に従った無線ＬＡＮのパワーセーブを例に説明を行うが、その他の省電力機構を利用してもよい。スマートデバイス２００は、デジタルカメラ１００に対して、カメラ制御アプリケーションがリモート撮像操作可能となる直前の準備状態へ遷移した旨を、通信部２１１を用いてＨＴＴＰ通信で通知する（Ｆ４０３）。
【００４２】
デジタルカメラ１００は、ＨＴＴＰ通信部１１２を用いてスマートデバイス２００に対して、リモート撮像の準備をする旨を通知する（Ｆ４０４）。次に、ユーザがスマートデバイス２００のカメラ制御アプリケーションでリモート撮像モードを選択する。当該選択に応じて、スマートデバイス２００は通信部２１１を用いて、デジタルカメラ１００にリモート撮像モード開始通知をＨＴＴＰ通信で送信する（Ｆ４０５）。
【００４３】
スマートデバイス２００のカメラ制御アプリケーションがリモート撮像モードに遷移した後、ユーザが任意のタイミングでレリーズボタンを半押しで押下する。当該押下に応じて、スマートデバイス２００は、通信部２１１を用いて、デジタルカメラ１００に対してＨＴＴＰ通信で撮像準備要求（フォーカス要求）を送信する（Ｆ４０６）。
【００４４】
デジタルカメラ１００は、ＨＴＴＰ通信部１１２を用いてスマートデバイス２００から撮像準備要求（フォーカス要求）を受信する。デジタルカメラ１００は、受信に応じて、無線通信部１１１を用いて無線ＬＡＮのパワーセーブを無効にすることにより無線ＬＡＮパワーセーブ状態を解除する（Ｆ４０７）。このように、レリーズ前に無線ＬＡＮのパワーセーブ状態を解除する。これにより、無線ＬＡＮのダウンリンクで撮像要求（レリーズ要求）がなされた場合に、無線ＬＡＮパワーセーブ状態によって生じるファインダ映像とリモート制御要求とが非同期状態の発生を低減することができる。
【００４５】
スマートデバイス２００のカメラ制御アプリケーションがリモート撮像モードに遷移した後、ユーザが任意のタイミングでレリーズボタンを押下する。当該押下に応じて、スマートデバイス２００は、通信部２１１を用いてデジタルカメラ１００に対して撮像要求（レリーズ要求）をＨＴＴＰ通信で送信する（Ｆ４０８）。
【００４６】
デジタルカメラ１００は、ＨＴＴＰ通信部１１２を用いて撮像要求（レリーズ要求）をスマートデバイス２００から受信したら、撮像部１０２を用いて撮像処理を実行する（Ｆ４０９）。デジタルカメラ１００は、撮像部１０２を用いた撮像処理の完了後、再度無線通信部１１１を用いて無線ＬＡＮのパワーセーブを有効にし、無線ＬＡＮパワーセーブ状態に遷移する（Ｆ４１０）。以上が一連のシーケンスである。
【００４７】
＜デジタルカメラの処理＞
次に、図５のフローチャートを参照して、本実施形態に係るデジタルカメラ１００が実施する処理の手順を説明する。図５の処理は、制御部１０１が不揮発性メモリ１０２に記憶されたコンピュータプログラムを読み出して実行することにより行われる。なお、図５の処理の一部または全部を例えばＡＳＩＣ等のハードウェアで実現する構成としてもよい。
【００４８】
Ｓ５０１において、デジタルカメラ１００の制御部１０１は、無線通信部１１１を用いて無線ＬＡＮのパワーセーブ状態に遷移する。なお、本実施形態ではＩＥＥＥ８０２．１１の規格に従った無線ＬＡＮのパワーセーブを例に説明を行うが、その他の省電力機構を利用してもよい。
【００４９】
Ｓ５０２において、デジタルカメラ１００の制御部１０１は、リモート接続している対向装置（本実施形態ではスマートデバイス２００）から、ＨＴＴＰ通信部１１２を用いて撮像準備要求（フォーカス要求）を受信したか否かを判定する。撮像準備要求を受信した場合、Ｓ５０３へ進む。一方、撮像準備要求を受信していない場合、受信するまで待機する。
【００５０】
Ｓ５０３において、デジタルカメラ１００の制御部１０１は、無線通信部１１１を用いて無線ＬＡＮのパワーセーブを無効にすることにより無線ＬＡＮパワーセーブ状態を解除する。このように、レリーズ前に無線ＬＡＮのパワーセーブ状態を解除しておく。これにより、無線ＬＡＮのダウンリンクで撮像要求（レリーズ要求）がなされた場合に、無線ＬＡＮパワーセーブ状態によって生じるファインダ映像とリモート制御要求との非同期状態の発生を低減することができる。より具体的には、ＩＥＥＥ８０２．１１の規格に従った無線ＬＡＮのパワーセーブでは、ＤＯＺＥ状態はビーコンインターバル（例えば１００ｍｓｅｃ）の間継続される。そのため、デジタルカメラ１００がＤＯＺＥ状態の時に、無線ＬＡＮダウンリンク（スマートデバイス２００からデジタルカメラ１００への通信）で撮像指示等があると、最大１００ｍｓｅｃ遅延することになる。そのため、ファインダ映像とリモート制御要求とが同期できないことになるが、そのような非同期状態の発生を低減することができる。
【００５１】
Ｓ５０４において、デジタルカメラ１００の制御部１０１は、リモート接続している対向装置（本実施形態ではスマートデバイス２００）から、ＨＴＴＰ通信部１１２を用いて撮像要求（レリーズ要求）を受信したか否かを判定する。撮像要求を受信した場合、Ｓ５０５へ進む。一方、撮像要求を受信していない場合、受信するまで待機する。なお、所定時間撮像要求を受信しなかった場合に、無線通信部１１１を用いて無線ＬＡＮのパワーセーブ状態を有効にしてもよい。
【００５２】
Ｓ５０５において、デジタルカメラ１００の制御部１０１は、撮像部１０２を用いて撮像処理を行う。Ｓ５０６において、デジタルカメラ１００の制御部１０１は、撮像部１０２を用いた撮像処理が完了したか否かを判定する。撮像処理が完了した場合、Ｓ５０７へ進む。一方、撮像処理が完了していない場合、完了するまで待機する。Ｓ５０７において、デジタルカメラ１００の制御部１０１は、無線通信部１１１を用いて無線ＬＡＮのパワーセーブを有効にする。以上で図５の一連の処理が終了する。
【００５３】
以上説明したように、本実施形態では、デジタルカメラ１００の制御部１０１は、スマートデバイス２００の撮像準備要求（フォーカス要求）をＨＴＴＰ通信で受信したら、無線ＬＡＮのパワーセーブ状態を解除する。
【００５４】
このように、レリーズ前に無線ＬＡＮのパワーセーブ状態を解除しておく。これにより、無線ＬＡＮのダウンリンクで撮像要求（レリーズ要求）がなされた場合に、無線ＬＡＮのパワーセーブ状態によって生じるファインダ映像とリモート制御要求とが非同期となる可能性を低減することができる。
【００５５】
また、デジタルカメラ１００は、撮像が完了したら、再度、無線ＬＡＮのパワーセーブ状態を有効にする。これにより、省電力化を維持しつつ、ファインダ映像とリモート制御要求との非同期状態の発生を低減することができる。
【００５６】
［実施形態２］
実施形態１では、スマートデバイス２００の撮像準備要求（フォーカス要求）に応じて無線ＬＡＮのパワーセーブ状態を解除することで同期を実現する例を説明した。これに対して、第２の実施形態では、スマートデバイス２００の撮像準備要求（フォーカス要求）に応じて、無線ＬＡＮのパワーセーブ状態を解除せずに同期を行う例を説明する。システム構成やデジタルカメラやスマートデバイスの構成は実施形態１と同様であるため説明を省略する。
【００５７】
＜処理シーケンス＞
図６を参照しながら、スマートデバイス２００を用いてデジタルカメラ１００でリモート撮像を行うまでのシーケンスを説明する。
【００５８】
まず、ユーザがスマートデバイス２００で操作部２０５を用いて操作し、カメラ制御アプリケーションを起動する（Ｆ６０１）。デジタルカメラ１００は無線通信部１１１を用いて無線ＬＡＮのパワーセーブを有効にすることにより無線ＬＡＮパワーセーブ状態に遷移する（Ｆ６０２）。なお、本実施形態ではＩＥＥＥ８０２．１１の規格に従った無線ＬＡＮのパワーセーブを例に説明を行うが、その他の省電力機構を利用してもよい。スマートデバイス２００は、デジタルカメラ１００に対して、カメラ制御アプリケーションがリモート撮像操作可能となる直前の準備状態へ遷移した旨を通信部２１１を用いてＨＴＴＰ通信で通知する（Ｆ６０３）。
【００５９】
デジタルカメラ１００は、ＨＴＴＰ通信部１１２を用いてスマートデバイス２００に対して、リモート撮像の準備をする旨を通知する（Ｆ６０４）。次に、ユーザがスマートデバイス２００のカメラ制御アプリケーションでリモート撮像モードを選択する。当該選択に応じて、スマートデバイス２００は通信部２１１を用いてデジタルカメラ１００にリモート撮像モード開始通知をＨＴＴＰ通信で送信する（Ｆ６０５）。
【００６０】
スマートデバイス２００のカメラ制御アプリケーションがリモート撮像モードに遷移した後、ユーザが任意のタイミングでレリーズボタンを半押しで押下する。当該押下に応じて、スマートデバイス２００は、通信部２１１を用いてデジタルカメラ１００に対してＨＴＴＰ通信で撮像準備要求（フォーカス要求）を送信する（Ｆ６０６）。
【００６１】
デジタルカメラ１００は、ＨＴＴＰ通信部１１２を用いてスマートデバイス２００から撮像準備要求（フォーカス要求）を受信したら、ＨＴＴＰ通信部１１２を用いて、スマートデバイス２００に所定間隔でデータを送信する（Ｆ６０７）。これは無線ＬＡＮパワーセーブ状態の解除を行うため、且つ、無線ＬＡＮパワーセーブ状態へ遷移しないようにするために行われる。本実施形態ではデジタルカメラ１００は、無線ＬＡＮのパワーセーブに遷移しないように、例えばフォーカス画像等のデータを１００ｍｓｅｃ以内の間隔でスマートデバイス２００に定期的に送信する。スマートデバイス２００のカメラ制御アプリケーションがリモート撮像モードに遷移した後、ユーザが任意のタイミングでレリーズボタンを押下する。当該押下に応じて、スマートデバイス２００は、通信部２１１を用いてデジタルカメラ１００に対して撮像要求（レリーズ要求）をＨＴＴＰ通信で送信する（Ｆ６０８）。
【００６２】
デジタルカメラ１００は、ＨＴＴＰ通信部１１２を用いて撮像要求（レリーズ要求）をスマートデバイス２００から受信したら、撮像部１０２を用いて撮像処理を実行する（Ｆ６０９）。デジタルカメラ１００は、撮像部１０２を用いた撮像処理の完了後、無線ＬＡＮパワーセーブに遷移しないために実施していたフォーカス画像の送信を停止する（Ｆ６１０）。これにより、無線ＬＡＮパワーセーブ状態への遷移が行われる。
【００６３】
＜デジタルカメラの処理＞
次に、図７のフローチャートを参照して、本実施形態に係るデジタルカメラ１００が実施する処理の手順を説明する。図７の処理は、制御部１０１が不揮発性メモリ１０２に記憶されたコンピュータプログラムを読み出して実行することにより行われる。なお、図５の処理の一部または全部を例えばＡＳＩＣ等のハードウェアで実現する構成としてもよい。
【００６４】
Ｓ７０１において、デジタルカメラ１００の制御部１０１は、無線通信部１１１を用いて無線ＬＡＮのパワーセーブ状態に遷移する。なお、本実施形態ではＩＥＥＥ８０２．１１の規格に従った無線ＬＡＮのパワーセーブを例に説明を行うが、その他の省電力機構を利用してもよい。
【００６５】
Ｓ７０２において、デジタルカメラ１００の制御部１０１は、リモート接続している対向装置（本実施形態ではスマートデバイス２００）から、ＨＴＴＰ通信部１１２を用いて撮像準備要求（フォーカス要求）を受信したか否かを判定する。撮像準備要求を受信した場合、Ｓ７０３へ進む。一方、撮像準備要求を受信していない場合、受信するまで待機する。
【００６６】
Ｓ７０３において、デジタルカメラ１００の制御部１０１は、例えばフォーカス画像等のデータを１００ｍｓｅｃ以内の間隔でリモート接続している対向装置に定期的に送信する。これは、無線ＬＡＮパワーセーブを解除するために且つ無線ＬＡＮパワーセーブに遷移しないようにするためである。このように、レリーズ前にデータ送信をして無線ＬＡＮパワーセーブ状態を解除し且つ無線ＬＡＮパワーセーブ状態に遷移しないように構成する。これにより、無線ＬＡＮのダウンリンクで撮像要求（レリーズ要求）がなされた場合に、無線ＬＡＮパワーセーブ状態によって生じるファインダ映像とリモート制御要求との非同期状態の発生を低減することができる。
【００６７】
Ｓ７０４において、デジタルカメラ１００の制御部１０１は、リモート接続している対向装置（本実施形態ではスマートデバイス２００）から、ＨＴＴＰ通信部１１２を用いて撮像要求（レリーズ要求）を受信したか否かを判定する。撮像要求を受信した場合、Ｓ７０５へ進む。一方、撮像要求を受信していない場合、受信するまで待機する。
【００６８】
Ｓ７０５において、デジタルカメラ１００の制御部１０１は、撮像部１０２を用いて撮像処理を行う。Ｓ７０６において、デジタルカメラ１００の制御部１０１は、撮像部１０２を用いた撮像処理が完了したか否かを判定する。撮像処理が完了した場合、Ｓ７０７へ進む。一方、撮像処理が完了していない場合、完了するまで待機する。
【００６９】
Ｓ７０７において、デジタルカメラ１００の制御部１０１は、無線ＬＡＮパワーセーブに遷移しないように実施していたフォーカス画像の送信を停止する。これにより、無線ＬＡＮパワーセーブへの遷移が行われる。以上で図７の一連の処理が終了する。
【００７０】
以上説明したように、本実施形態では、デジタルカメラ１００の制御部１０１は、スマートデバイス２００の撮像準備要求（フォーカス要求）をＨＴＴＰ通信で受信する。そして、受信に応じて、フォーカス画像等のデータを１００ｍｓｅｃ以内の間隔でリモート接続している対向装置（スマートデバイス２００）に定期的に送信する。無線ＬＡＮパワーセーブを解除するため且つ無線ＬＡＮパワーセーブに遷移しないようにするためである。
【００７１】
このように、レリーズ前にデータ送信を行って無線ＬＡＮのパワーセーブ状態に遷移しないように構成する。これにより、無線ＬＡＮのダウンリンクで撮像要求（レリーズ要求）がなされた場合に、無線ＬＡＮパワーセーブ状態によって生じるファインダ映像とリモート制御要求とが非同期となる可能性を低減することができる。
【００７２】
また、デジタルカメラ１００は、撮像が完了したら、無線ＬＡＮパワーセーブに遷移しないように実施していたフォーカス画像の送信を停止する。これにより、無線ＬＡＮのパワーセーブが有効になるため、省電力化を維持しつつ、ファインダ映像とリモート制御要求との非同期状態の発生を低減することができる。
【００７３】
なお、本実施形態では、フォーカス画像を送信する例を説明したが、送信するデータはフォーカス画像に限られるものではなく、他のデータを送信するように構成してもよい。
【００７４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７５】
５０：アクセスポイント、１００：デジタルカメラ、２００：スマートデバイス、３００：無線ＬＡＮネットワーク、１０１：制御部、１０２：撮像部
【図１】
2020010302.tif 000003
【図２】
2020010302.tif 000004
【図３】
2020010302.tif 000005
【図４】
2020010302.tif 000006
【図５】
2020010302.tif 000007
【図６】
2020010302.tif 000008
【図７】
2020010302.tif 000009